(57)【要約】【課題】装着部に装着された光計測用チューブの封止材を貫通して、発光用試薬に資料を分注する分注ノズルを上昇させる際に、光計測用チューブが分注ノズルと共上がりすることがない発光計測装置を提供すること。【解決手段】発光用試薬を収容し、開口部６０を封止材Ｓで封緘した有底の光計測用チューブ６を立てた状態で装着する装着部３と、昇降可能に設けられ、装着部３に装着された光計測用チューブ６の封止材Ｓを貫通して、発光用試薬に試料を分注する分注ノズル４と、試料を分注した発光用試薬の発光量を計測する光検出器５とから構成され、光計測用チューブ６の封止材Ｓを貫通した分注ノズル４を上昇させる際に、光計測用チューブ６が共上がりするのを防止するための光計測用チューブ６の外周部６１を挟持する挟持機構２０から構成した共上がり防止手段２を装着部３に配設する。【選択図】図１
2012220320.tif 000002
【特許請求の範囲】
【請求項１】
発光用試薬を収容し、開口部を封止材で封緘した有底の光計測用チューブを立てた状態で装着する装着部と、昇降可能に設けられ、装着部に装着された光計測用チューブの封止材を貫通して、発光用試薬に試料を分注する分注ノズルと、試料を分注した発光用試薬の発光量を計測する光検出器とからなる発光計測装置において、光計測用チューブの封止材を貫通した分注ノズルを上昇させる際に、光計測用チューブが共上がりするのを防止する共上がり防止手段を備えてなり、該共上がり防止手段が、装着部に配設した、光計測用チューブの外周部を挟持する挟持機構からなることを特徴とする発光計測装置。
【請求項２】
発光用試薬を収容し、開口部を封止材で封緘した有底の光計測用チューブを立てた状態で装着する装着部と、昇降可能に設けられ、装着部に装着された光計測用チューブの封止材を貫通して、発光用試薬に試料を分注する分注ノズルと、試料を分注した発光用試薬の発光量を計測する光検出器とからなる発光計測装置において、光計測用チューブの封止材を貫通した分注ノズルを上昇させる際に、光計測用チューブが共上がりするのを防止する共上がり防止手段を備えてなり、該共上がり防止手段が、分注ノズルに設けられた固定環と、該固定環にコイルバネを介して取り付けられ、分注ノズルに沿って移動可能とされ、分注ノズルを下降させた際に光計測用チューブの開口部の端縁を押圧する移動環と、コイルバネが無負荷のときに移動環の上方位置から下方位置にかけて縮径する分注ノズルのテーパー部とからなることを特徴とする発光計測装置。
【発明の詳細な説明】
【技術分野】
【０００１】
本発明は、発光計測装置に関し、特に、試料を分注した発光用試薬の発光量を計測し、試料に含まれる発光体の数量を調べる発光計測装置に関するものである。
【背景技術】
【０００２】
従来、空気中に浮遊する細菌、真菌等の微生物、化学物質、微粒子等の被検出物を、捕集、収集して、単位体積当たりの被検出物数を算出する方法、特に、無菌製剤の製造環境や食品関係の製造環境における空中浮遊菌の菌数を算出する方法として、本件出願人が先に提案した、空中浮遊菌の生菌に由来するアデノシン三リン酸（以下、「ＡＴＰ」という。）の量を、生物発光反応による発光量を計測することにより求め、これに基づいて空中浮遊菌の菌数を算出する方法がある（例えば、特許文献１参照）。
【０００３】
この空中浮遊菌の菌数の算出する方法に用いられる装置としては、被検出物としての空中浮遊菌を、捕集皿に充填したゼラチン及びグリセロールを含むゲル状の捕集担体に付着させて捕集し、空中浮遊菌が付着した捕集担体が充填されている捕集皿を被検出物収集容器に取り付け、この被検出物収集容器を加熱することにより捕集担体をゲルからゾルに相を転移し、ゾル化した試料に含まれる空中浮遊菌をフィルタで漉し取ることによって収集する被検出物の収集装置と、収集した空中浮遊菌からＡＴＰを抽出し、分注ノズルによって試料として吸引された試料を、内部に発光用試薬が収容された光計測用チューブ内に分注することにより、発光用試薬を発光させ、発光用試薬の発光量を光検出器によって計測するようにした発光計測装置とからなる装置が提案され、実用化されている（例えば、発光計測装置に関して、特許文献２参照）。
この発光量計測装置に用いられる光検出器は、光電子増倍管とコンパレータを組み合わせ、光電子増倍管に入射する光の１光子あたり１パルスを出力するフォトンカウンティング方式によって、発光試薬の発光量をパルスの発生数（単位はｃｐｓ：Ｃｏｕｎｔ Ｐｅｒ Ｓｅｃｏｎｄｓ）として計測するもので、これによって、単位体積当たりの被検出物数を算出するようにしている。
【先行技術文献】
【特許文献】
【０００４】
【特許文献１】特開２００９−１３９１１５号公報
【特許文献２】特開２００８−２６８０１９号公報
【発明の概要】
【発明が解決しようとする課題】
【０００５】
ところで、上記空中浮遊菌の菌数を算出する方法に用いる発光計測装置（被検出物の収集装置と一体構造となっているものも含む（以下、同じ。））は、図７〜図８に示すように、発光用試薬を収容し、開口部６０を封止材Ｓで封緘した有底の光計測用チューブ６を立てた状態で装着する装着部３と、昇降可能に設けられ、装着部３に装着された光計測用チューブ６の封止材Ｓを貫通して、発光用試薬に試料を分注する分注ノズル４と、試料を分注した発光用試薬の発光量を計測する光検出器５とから構成されている。
そして、光計測用チューブ６を装着部３に装着する際には、人手による作業で装着されることとなるため、コンタミネーションを防止する観点から片手で簡単に設置できるように構成する必要があるとともに、光計測用チューブ６の外周部６１と装着部３に開口した挿入孔３０の内周面とが接触することによって生じる静電気の発生を低減させる必要性から、装着部３の挿入孔３０の内径は、光計測用チューブ６の外径よりも０．５ｍｍ程度大きく構成している。
これによって、光計測用チューブ６は、装着部３に保持、固定されることなく挿入孔３０に挿入されているだけの状態となっている。
このため、図８に示すように、光計測用チューブ６内の発光用試薬に試料を分注した後、分注ノズル４を上昇させて、光計測用チューブ６から引き抜く際に、分注ノズル４を貫通する際に空いた封止材Ｓの貫通孔から内部に向かって垂れ下がる封止材Ｓと分注ノズルの外周部とが接触し、摩擦によって、光計測用チューブが分注ノズル４と共上がりする場合がある。
そして、光の強度は、発光点からの距離の２乗で減衰するため、光計測用チューブ６が共上がりすると光検出器５による正確な発光量の計測を行うことができないという問題があった。
【０００６】
本発明は、装着部に装着された光計測用チューブの封止材を貫通して、発光用試薬に資料を分注する分注ノズルを上昇させる際に、光計測用チューブが分注ノズルと共上がりすることがない発光計測装置を提供することを目的とする。
【課題を解決するための手段】
【０００７】
上記目的を達成するため、本第１発明の発光計測装置は、発光用試薬を収容し、開口部を封止材で封緘した有底の光計測用チューブを立てた状態で装着する装着部と、昇降可能に設けられ、装着部に装着された光計測用チューブの封止材を貫通して、発光用試薬に試料を分注する分注ノズルと、試料を分注した発光用試薬の発光量を計測する光検出器とからなる発光計測装置において、光計測用チューブの封止材を貫通した分注ノズルを上昇させる際に、光計測用チューブが共上がりするのを防止する共上がり防止手段を備えてなり、該共上がり防止手段が、装着部に配設した、光計測用チューブの外周部を挟持する挟持機構からなることを特徴とする。
【０００８】
また、同じ目的を達成するため本第２発明の発光計測装置は、発光用試薬を収容し、開口部を封止材で封緘した有底の光計測用チューブを立てた状態で装着する装着部と、昇降可能に設けられ、装着部に装着された光計測用チューブの封止材を貫通して、発光用試薬に試料を分注する分注ノズルと、試料を分注した発光用試薬の発光量を計測する光検出器とからなる発光計測装置において、光計測用チューブの封止材を貫通した分注ノズルを上昇させる際に、光計測用チューブが共上がりするのを防止する共上がり防止手段を備えてなり、該共上がり防止手段が、分注ノズルに設けられた固定環と、該固定環にコイルバネを介して取り付けられ、分注ノズルに沿って移動可能とされ、分注ノズルを下降させた際に光計測用チューブの開口部の端縁を押圧する移動環と、コイルバネが無負荷のときに移動環の上方位置から下方位置にかけて縮径する分注ノズルのテーパー部とからなることを特徴とする。
【発明の効果】
【０００９】
本第１発明の発光計測装置によれば、光計測用チューブの封止材を貫通した分注ノズルを上昇させる際に、光計測用チューブが共上がりするのを防止する共上がり防止手段を備えてなり、この共上がり防止手段が、装着部に配設した、光計測用チューブの外周部を挟持する挟持機構からなることにより、分注ノズルを上昇させて、光計測用チューブから引き抜く際に、光計測用チューブの開口部を封緘している封止材の貫通部分と分注ノズルの外周部との間で摩擦が生じても、光計測用チューブは、挟持機構によって装着部に固定されており共上がりを有効に防止することができる。
【００１０】
また、本第２発明の発光計測装置によれば、共上がり防止手段が、分注ノズルに設けられた固定環と、該固定環にコイルバネを介して取り付けられ、分注ノズルに沿って移動可能とされ、分注ノズルを下降させた際に光計測用チューブの開口部の端縁を押圧する移動環と、コイルバネが無負荷のときに移動環の上方位置から下方位置にかけて縮径する分注ノズルのテーパー部とからなることにより、分注ノズルを下降させ、封止材を貫通させるときに、移動環がコイルバネから負荷を受けて光計測用チューブの開口部の端縁を押圧した状態となり、この状態のまま、分注ノズルを上昇させることによって、分注ノズルが貫通して内部に垂れ下がった封止材の部分を分注ノズルが通過し始めるときには、光計測用チューブの開口部の端縁を押圧した状態で、その後、テーパー部が貫通した封止材の貫通部分を通過していくこととなって、分注ノズルの外周面は、内部に垂れ下がった封止材の部分と隙間が生じて、接触箇所がなくなり、摩擦による共上がりを確実に防止することができるとともに、人手による作業は、光計測用チューブの装着のみで、コンタミネーションのリスクを大幅に低減することができる。
【図面の簡単な説明】
【００１１】
【図１】本第１発明の発光計測装置の一実施例を示す概略図である。
【図２】同装置の光計測チューブの装着部及び共上がり防止手段を示す一部断面の切り欠き図で、（ａ）は平面図、（ｂ）は正面図である。
【図３】同装置に光計測チューブを装着し、試料を分注する際の作動状態を示し、（ａ）は光計測チューブを装着部に装着した状態を、（ｂ）は分注ノズルを下降させ光計測チューブの封止材を貫通し、光計測チューブ内に試料を分注する状態を、（ｃ）は分注ノズルが装着部から離間した定位置に戻った状態を示す。
【図４】本第２発明の発光計測装置の一実施例を示す概略図である。
【図５】同装置に光計測チューブを装着し、試料を分注する際の作動状態を示し、（ａ）は光計測チューブを装着部に装着した状態を、（ｂ）は分注ノズルを下降させ、光計測チューブの封止材を貫通し、移動環が光計測チューブの開口部の端縁に当接した状態を、（ｃ）はさらに分注ノズルを下降させ、移動環が光計測チューブの開口部の端縁を押圧し、光計測チューブ内に試料を分注する状態を、（ｄ）は、移動環が光計測チューブの開口部の端縁に対する押圧が解除されつつ、分注ノズルを上昇させている状態を、（ｅ）は分注ノズルが装着部から離間した定位置に戻った状態を示す。
【図６】図５における、共上がり防止手段の作動を詳細に説明する概略図で、（ａ）は移動環が光計測チューブの開口部の端縁に当接するとともに、分注ノズルの先端の小径部が光計測チューブの封止材を貫通した状態を、（ｂ）はさらに分注ノズルを下降させ、移動環が光計測チューブの開口部の端縁を押圧するとともに、垂れ下がった封止材にテーパー部が当接している状態を、（ｃ）は分注ノズルを上昇させ、移動環が光計測チューブの開口部の端縁に対する押圧が解除されつつ、垂れ下がった封止材とテーパー部に隙間が生じている状態を、（ｄ）は移動環が端縁から離れ、垂れ下がった封止材と分注ノズルとが完全に離間した状態を示す。
【図７】従来の光計測装置の光計測チューブの装着部を示す一部断面の切り欠き図で、（ａ）は平面図、（ｂ）は正面図である。
【図８】同装置に光計測チューブを装着し、試料を分注する際の作動状態を示し、（ａ）は光計測チューブを装着部に装着した状態を、（ｂ）は分注ノズルを下降させ光計測チューブの封止材を貫通し、光計測チューブ内に試料を分注する状態を、（ｃ）は分注ノズルが装着部から上昇させる際に、光計測チューブが共上がりした状態を示す。
【発明を実施するための形態】
【００１２】
以下、本発明の発光計測装置の実施の形態を、図面に基づいて説明する。
【実施例１】
【００１３】
図１〜図３に、本第１明の発光計測装置の一実施例を示す。
この発光計測装置１は、発光用試薬を収容し、開口部６０を封止材Ｓで封緘した有底の光計測用チューブ６を立てた状態で装着する装着部３と、昇降可能に設けられ、装着部３に装着された光計測用チューブ６の封止材Ｓを貫通して、発光用試薬に試料を分注する分注ノズル４と、試料を分注した発光用試薬の発光量を計測する光検出器５とから構成され、分注ノズル４の作動させるアクチュエータＡの制御や、光検出器５への高電圧の（Ｈｉｇｈ  Ｖｏｌｔａｇｅ：ＨＶ）印加を制御する制御手段Ｃ１と、光検出器５によって計測した発光試薬の発光量を記憶する記憶手段Ｃ２と、表示部Ｄとを有する制御装置Ｃを備えている。
そして、光計測用チューブ６の封止材Ｓを貫通した分注ノズル４を上昇させる際に、光計測用チューブ６が共上がりするのを防止するための光計測用チューブ６の外周部６１を挟持する挟持機構２０から構成した共上がり防止手段２を装着部３に配設するようにしている。
【００１４】
装着部３は、光計測用チューブ６の外径よりも若干大径の挿入孔３０を開口した筒形状で、下端縁を光検出器５が配設されるケーシングに固定されている。
また、挿入孔３０の下方は、半球形状や、図２に示すような円錐形状に形成し、発光して錯乱した光を光検出器５の入射窓に誘導するようにしている。
挿入孔３０の下方を円錐形状にしたときの反射面角度αは３０〜７０°（好ましくは４５°）とする。
【００１５】
挟持機構２０は、図２に示すように、光計測用チューブ６の外周部６１の略半分を保持する、装着部３に固定して設けた固定片２０Ａと、光計測用チューブ６の外周部６１の残りの略半分を保持する、固定片２０Ａに可動に設けた可動片２０Ｂと、固定片２０Ａに対して可動片２０Ｂを押圧した状態に保持する突起部２１ａを有する操作片２１とから構成されている。
固定片２０Ａは、装着部３の挿入孔３０と略同径の半径とした挟持面を有し、ボルト、ビス等の締結手段で装着部３の上面に固定するようにしている。
可動片２０Ｂも、固定片２０Ａと略同様の形状で、座ぐり部を有する取付孔を介して、六角穴付きボルト等の締結手段２３によって、固定片２０Ａと接触する取付面との間で、密着と所定の隙間とを有することが可能なように取り付けられている。
また、固定片２０Ａに対して可動片２０Ｂを離間させる方向に付勢する付勢手段２２を設けることができる。
本実施例においては、可動片２０Ｂは、付勢手段２２を介して固定片２０Ａと接続され、常時は、固定片２０Ａから離間する方向に付勢されている。
この付勢手段２２は、図２（ａ）に示すように、締結手段２３のネジ部に嵌挿され、固定片２０Ａと可動片２０Ｂとの間に配設することによって、可動片２０Ｂを固定片２０Ａから離間させる方向に付勢する。
【００１６】
そして、可動片２０Ｂは、装着部３に固定されるフランジ２１ｃに枢軸２１ｂを介して揺動自在に枢着される操作片２１の突起部２１ａが可動片２０Ｂの周面を押圧することによって固定片２０Ａ側に押圧されるように構成されている。
操作片２１の突起部２１ａの可動片２０Ｂの当接箇所は、図２（ａ）に示すように、外周が１８０°の円弧（半円形状）となる可動片２０Ｂの外周の中心部分（端から９０°の位置）から３０〜６０°ずれた位置となるようにしている。
これによって、固定片２０Ａ及び可動片２０Ｂの挟持面から光計測用チューブ６の外周部６１に対する押圧力は４方向に分散して、確実に光計測用チューブ６を挟持することができる。
【００１７】
操作片２１による、押圧を解除している状態では、可動片２０Ｂの取付面は、固定片２０Ａの取付面から離間しており、対向する挟持面間によって形成される面積は、装着部３の挿入孔３０の開口面積と等しいか、それ以上の大きさを有し、光計測用チューブ６を装着部３の挿入孔３０に片手で簡単に装着することができるとともに、挟持機構２０の挟持面との接触を最小限に抑え、静電気の発生を抑制することができる。
また、装着後も片手で簡単に操作片２１を操作して光計測用チューブ６を装着部３に固定することができる。
これによって、装着時の人手による作業の際に、両手を使うことなく片手で全ての操作を行うことができ、コンタミネーションのリスクを低減することができる。
【００１８】
次に、この発光計測装置１によって、ＡＴＰ法によって単位体積当たりの空中浮遊菌数を計測する方法、特に、発光計測装置１の装着部３に装着した光計測用チューブ６に試料を分注する際の手順を説明する。
【００１９】
まず、分注ノズル４を装着部３から離れた上方位置で停止させ、シャッターユニット等の遮光対策を施した発光計測装置１の装着部３の上面に配設され、可動片２０Ｂが固定片２０Ａから離間した状態（挟持機構２０の操作片２１によって可動片２０Ｂが押圧されていない状態）の挟持機構２０の挟持面間及び装着部３の挿入孔３０に、人手によって開口部６０を封止材Ｓで封緘した光計測用チューブ６を立てた状態に装着する。
このとき、可動片２０Ｂが固定片２０Ａから離間して隙間があるため光計測用チューブ６の外周部６１の挟持機構２０に対する擦れ量を少なくすることができ、発光計測では計測結果に大きな影響を及ぼすこととなる静電気の影響を大幅に低減することができる。
【００２０】
この状態から、共上がり防止手段２である挟持機構２０の操作片２１を操作し、操作片２１の突起部２１ａによって可動片２０Ｂを固定片２０Ａ側に押圧して固定する（図３（ａ）参照）。
これらの作業は、人手によって行うものであるが、全ての作業を片手で行うことができるため、コンタミネーションのリスクを低減することができる。
【００２１】
次に、従来例と同様に、目的の空中浮遊菌から抽出したＡＴＰを試料として吸引している分注ノズル４を、装着部３に装着された光計測用チューブ６の封止材Ｓを貫通して、発光用試薬に試料を分注する（図３（ｂ）参照）。
【００２２】
そして、光計測用チューブ６の封止材Ｓを貫通した分注ノズル４を上昇させる。このとき、光計測用チューブ６の外周部６１は、挟持機構２０の固定片２０Ａ及び可動片２０Ｂの挟持面で挟持されており、封止材Ｓの貫通部分と分注ノズル４の外周部との間で摩擦が生じても、光計測用チューブ６は、挟持機構２０によって装着部３に固定されており、共上がりすることがない（図３（ｃ）参照）。
【００２３】
その後、光電子増倍管とコンパレータを組み合わせた光検出器５を、制御装置Ｃによって操作し、光電子増倍管に入射する光の１光子あたり１パルスを出力するフォトンカウンティング方式によって、発光試薬の発光量をパルスの発生数として計数し、単位体積当たりの空中浮遊菌数を算出する。
【実施例２】
【００２４】
図４〜図６に、本第２発明の発光計測装置の一実施例を示す。
この発光計測装置１は、第１実施例と同様、発光用試薬を収容し、開口部６０を封止材Ｓで封緘した有底の光計測用チューブ６を立てた状態で装着する装着部３と、昇降可能に設けられ、装着部３に装着された光計測用チューブ６の封止材Ｓを貫通して、発光用試薬に試料を分注する分注ノズル４と、試料を分注した発光用試薬の発光量を計測する光検出器５とから構成されており、光計測用チューブ６の封止材Ｓを貫通した分注ノズル４を上昇させる際に、光計測用チューブ６が共上がりするのを防止するための共上がり防止手段２が、分注ノズル４に設けられた固定環２５と、固定環２５にコイルバネ２７を介して取り付けられ、分注ノズル４に沿って移動可能とされ、分注ノズル４を下降させた際に光計測用チューブ６の開口部６０の端縁６０ａを押圧する移動環２６と、コイルバネ２７が無負荷のときに移動環２６の上方位置から下方位置にかけて縮径する分注ノズル４のテーパー部２８とから構成するようにしている。
【００２５】
固定環２５は、分注ノズル４を削り出しで成形する場合、一体に成形することができるほか、別途成形した環状部材を分注ノズル４の外周部の適所に溶接等の固着手段によって取り付けても構わない。
【００２６】
移動環２６は、分注ノズル４の外周部と所定の隙間を開けて挿通され、固定環２５とはコイルバネ２７を介して接続される。
移動環２６は、分注ノズル４が光計測用チューブ６から離れた位置にあるときに（光計測用チューブ６の上方で停止しているとき）分注ノズル４から抜け落ちることがないように、取り付けられている。
本実施例においては、コイルバネ２７の両端面を固定環２５及び移動環２６の対向面に溶接等の固着手段で固定するようにしている。
【００２７】
分注ノズル４のテーパー部２８は、コイルバネ２７が無負荷のときに移動環２６の上方位置から下方位置にかけて縮径するように構成され、コイルバネ２７の負荷によって、移動環２６が光計測用チューブ６の開口部６０の端縁を押圧しているときに、分注ノズル４を貫通する際に空いた封止材Ｓの貫通孔から内部に向かって垂れ下がる封止材Ｓａと接触し、分注ノズル４を上昇させるときに、垂れ下がる封止材Ｓａから離間し、コイルバネ２７が無負荷のときには、垂れ下がる封止材Ｓａと分注ノズル４との接触箇所がなく摩擦による共上がりをおこすことがない箇所に形成されている。
【００２８】
次に、この発光計測装置１によって、ＡＴＰ法によって単位体積当たりの空中浮遊菌数を計測する方法、特に、発光計測装置１の装着部３に装着した光計測用チューブ６に試料を分注する際の手順を説明する。
【００２９】
まず、実施例１と同様に、分注ノズル４を装着部３から離れた上方位置で停止させ、シャッターユニット等の遮光対策を施した発光計測装置１の装着部３の挿入孔３０に、人手によって開口部６０を封止材Ｓで封緘した光計測用チューブ６を立てた状態に装着する。
このとき、挿入孔３０の内径は光計測用チューブ６の内径よりも若干大径（約０．５ｍｍ大径）となるようにして、光計測用チューブ６の外周部６１の挿入孔３０に対する擦れ量を少なくして、静電気の影響を低減している（図５（ａ）参照）。
【００３０】
次に、目的の空中浮遊菌から抽出したＡＴＰを試料として吸引している分注ノズル４を、装着部３に装着された光計測用チューブ６の封止材Ｓを貫通して、発光用試薬に試料を分注する（図５（ｂ）〜図５（ｃ）参照）。
そして、光計測用チューブ６の封止材Ｓを貫通した分注ノズル４を上昇させる（図５（ｄ）〜図５（ｅ）参照）。
【００３１】
次に、分注ノズル４による光計測用チューブ６の封止材Ｓの貫通から引き抜く際の共上がり防止手段２の作動を詳細に説明する。
まず、分注ノズル４の尖頭状の先端が封止材Ｓを突き破って、光計測用チューブ６の内部に貫通され、無負荷状態の移動環２６が、光計測用チューブ６の開口部６０の端縁に当接する（図６（ａ）参照）。このとき、封止材Ｓには分注ノズル４の先端の小径部４ａと略同径の貫通孔が開口される。
さらに、分注ノズル４を下降させることによって、移動環２６はコイルバネ２７によって負荷を受け、光計測用チューブ６の開口部６０の端縁を押圧するとともに、テーパー部２８が、分注ノズル４が貫通される際に空いた封止材Ｓの貫通孔から内部に向かって垂れ下がる封止材Ｓａと当接する（図６（ｂ））。
このとき、封止材Ｓの貫通孔は、分注ノズル４の先端の小径部４ａによって開口された大きさよりも大きくなっている。
【００３２】
この状態で、分注ノズル４から光計測用チューブ６内の発光用試薬に試料を分注する。なお、分注ノズル４は、分注ノズル４の大径部４ｂが光計測用チューブ６内に貫通するまで下降させてから試料を分注するようにしても構わない。
【００３３】
次に、試料の分注が完了した分注ノズル４を、光計測用チューブ６から上昇させる。
このとき、光計測用チューブ６の開口部６０の端縁は、コイルバネ２７から負荷を受けている状態の移動環２６によって押圧されており、貫通孔から内部に向かって垂れ下がる封止材Ｓａと分注ノズル４のテーパー部とが当接している状態のときでも、光計測用チューブ６が共上がりすることがなく、さらに分注ノズル４を上昇させることによって、コイルバネ２７による負荷が減少又はなくなり、移動環２６による開口部６０の端縁６０ａへの押圧が解除されて、テーパー部２８及び分注ノズル４の先端の小径部が、内部に向かって垂れ下がる封止材Ｓａを通過することとなるが、貫通孔は、分注ノズル４の先端の小径部によって開口された大きさよりも大きくなっているために、分注ノズル４の外周部と内部に向かって垂れ下がる封止材Ｓａとは接触することがなく、光計測用チューブ６が分注ノズル４と共上がりすることがない（図６（ｃ）〜図６（ｄ））。
【００３４】
その後、第１実施例と同様に、光電子増倍管とコンパレータを組み合わせた光検出器５を、制御装置Ｃによって操作し、光電子増倍管に入射する光の１光子あたり１パルスを出力するフォトンカウンティング方式によって、発光試薬の発光量をパルスの発生数として計数し、単位体積当たりの空中浮遊菌数を算出する。
【００３５】
なお、本実施例のその他の構成及び作用は、上記第１実施例と同様である。
【００３６】
以上、本発明の発光計測装置について、複数の実施例に基づいて説明したが、本発明は上記実施例に記載した構成に限定されるものではなく、その趣旨を逸脱しない範囲において適宜その構成を変更することができるものである。
【産業上の利用可能性】
【００３７】
本発明の発光計測装置は、装着部に装着された光計測用チューブの封止材を貫通して、発光用試薬に資料を分注する分注ノズルを上昇させる際に、光計測用チューブが分注ノズルと共上がりすることがないという特性を有するとともに、光計測用チューブの装着に際し、コンタミネーションのリスク低減と静電気の発生を抑制することができることから、捕集装置によって捕集した空気中に浮遊する細菌、真菌等の微生物、化学物質、微粒子等の被検出物に含まれる菌数を計測するための発光計測装置の用途に好適に用いることができる。
【符号の説明】
【００３８】
１    発光計測装置
２    共上がり防止手段
２０  挟持機構
２５  固定環
２６  移動環
２７  コイルバネ
２８  テーパー部
３    装着部
３０  挿入孔
４    分注ノズル
５    光検出器
６    光計測用チューブ
６０  開口部
６０ａ  端縁
６１  外周部
Ｓ    封止材
【図１】
2012220320.tif 000003
【図２】
2012220320.tif 000004
【図３】
2012220320.tif 000005
【図４】
2012220320.tif 000006
【図５】
2012220320.tif 000007
【図６】
2012220320.tif 000008
【図７】
2012220320.tif 000009
【図８】
2012220320.tif 000010